(57)【要約】【課題】  墓石の花立て具は、複数の花束を受け入れるべく、口径が大きめになっているため、ひとつの花束を花立てすると、花がばらばらになり、収まりが悪くなります。、口径や形状がさまざまなそれらの、多くの花立て具に対応できる口径変換具をめざします。【解決手段】  ひとつの花束を安定的に花立てするのに適した口径である開口部を部材を用いて形成し、開口部を形成した前記部材を支持するための支持体と、前記支持体を花立て具の口縁部で係止するため、前記支持体に係止部を形成して、口径変換具を花立て具の上端に安定的に設置します。【選択図】図１
2017082540.tif 000002
【特許請求の範囲】
【請求項１】
墓石の花立て具の上端に設置されるものであって、花束ひとつが挿通でき、かつ安定的に保持できる程度の開口部と、前記開口部を形成する部材を支持するための支持体と、前記支持体を花立て具の口縁部にて係止するための係止部と、を有することを特徴とする墓石の花立て具の口径変換具。
【請求項２】
前記支持体に、容易に人手による折り曲げ可能なアルミ材などを使用することにより、その折り曲げ部分を係止部とする、請求項１に記載の墓石の花立て具の口径変換具。
【請求項３】
前記開口部と前記支持体の形成に網状体を使用し、前記網状体は容易に人手による折り曲げ可能なアルミ材などを使用することにより、その折り曲げ部分を係止部とする、請求項１に記載の墓石の花立て具の口径変換具。
【請求項４】
伸縮する筒状の網状体（９）の上端に、ひとつの花束を安定的に花立てするのに適した口径をもつ開口部形成部材（５）を、前記筒状の上端の周辺と前記開口部形成部材の周辺を合わせるように取付けた開口部と、  前記伸縮する筒状の網状体を、花立て具にかぶせた時の網の伸縮力により形成される、前記開口部から花立て具の口縁部までの伸縮による張り状態による支持体と、口縁部での伸縮による係止力が係止部である、請求項１に記載の墓石の花立て具の口径変換具。
【請求項５】
伸縮する筒状の網状体の一部を残して墓石の花立て具にかぶせ、残した部分に、ひとつの花束を安定的に花立てするのに適した口径をもつ枠を枠部材にて形成して開口部とし、前記開口部から花立て具の口縁部までの伸縮による張り状態による支持体と、口縁部での伸縮による係止力が係止部である、請求項１に記載の墓石の花立て具の口径変換具。
【発明の詳細な説明】
【技術分野】
【０００１】
墓石の花立て具は、複数の花束を受け入れるべく、口径が大きめになっているため、ひとつの花束では、花がばらばらになり、収まりが悪いものです。  墓参用などに、一般的に提供されているひとつの花束を、安定的に花立てするのに適した口径は２５０ｍｍから３５０ｍｍ程度が標準と思われますが、そのような花束ひとつ用の口径を、口径の大きめな墓石の花立て具に構成できるようにする、変換具に関するものです。
【背景技術】
【０００２】
従来は、ひとつの花束を安定的に花立てするために、花立て具の上端に、いろいろの大きさの孔を形成したプレートを設置し、花束の大きさに応じて、前記孔を選択する方法や、網状のプレートを設置して、網目を利用して収まりよく花立てできるようにする、などの方法がありますが、これらのものは、花立て具と前記プレートとが、セットで考えられているのが主流で、口径や形状の違う他の花立て具への使用は考慮されませんでした。    本発明品は、現在すでに使用されている口径や形状の違う多くの既設の墓石の花立て具に対して、ひとつの花束の花立てに適した口径の開口部を形成し、その開口部を固定的にするため、開口部を形成した部材を支持するための支持体と、その支持体を花立て具に固定的にするための係止部を形成し、口径の大きめの花立て具に対する、口径のアダプターを提供します。
【先行技術文献】
【特許文献】
【０００３】
【特許文献１】特開平０７ー１１９３３６
【特許文献２】特開２０１１ー１９６０３２
【特許文献３】特開２０１１ー２３１５１０
【発明の概要】
【発明が解決しようとする課題】
【０００４】
墓石の花立て具は、複数の花束を受け入れるべく、口径が大きめになっているため、ひとつの花束を花立てすると、花がばらばらになり、収まりが悪くなります。  ひとつの花束を、安定的に花立てするのに適した口径は２５０ｍｍから３５０ｍｍ程度が標準と思われますが、そのような標準口径を、口径の大きめな墓石の花立て具に構成できるようにすることと、その対象とする花立て具は、現在すでに設置されている既設のものであり、口径や形状がさまざまなそれらの、なるべく多くの花立て具に対応できる口径変換具をめざします。
【課題を解決するための手段】
【０００５】
ひとつの花束を安定的に花立てするのに適した口径の開口部を部材を用いて形成し、開口部を形成した前記部材を支持するための支持体に、花立て具の口縁部にて係止するための係止部を形成して、前記開口部を安定的に固定状態にして、花束の挿通保持をできるようにします。
【発明の効果】
【０００６】
すでに既設の花立て具は、複数の花束の受入れを可能にするため、口径が大きめにできているので、口径アダプターである口径変換具を使用することにより、ひとつの花束でも安定的に花立てできます。  また、ひとつの花束を安定的に花立てするのに適した口径の開口部と花立て具の口縁部との間に隙間ができる構造なので、ふたつめの花束をここに挿通させることができます。  それでも花束が挿通できない時は、口径変換具の取り外しが簡単にできる構造です。
【図面の簡単な説明】
【０００７】
【図１】口径変換具（Ａ）の斜視図
【図２】口径変換具（Ｂ）の斜視図
【図３】口径変換具（Ｃ）の斜視図
【図４】口径変換具（Ｄ）の斜視図
【図５】口径変換具（Ｅ）の斜視図
【発明を実施するための形態】
【０００８】
以下、実施の形態を図に基づいて説明します。
【０００９】
図１の口径変換具（Ａ）は、ひとつの花束を安定的に花立てするのに適した口径をもつ開口部（１）を、開口部形成部材（５）でリング状に形成し、前記開口部形成部材を支持するための支持体（２）を斜め上方向に向けて設けたものです。  この口径変換具を花立て具（６）の上端に設置すると、前記支持体に形成された、波型の凹凸部である係止部（３）が、花立て具の口縁部（７）に係り止めされ、固定的に設置されます。
【００１０】
口径変換具を花立て具に設置後、花束を前記開口部に挿通すれば、前記開口部はひとつの花束に適した口径をもつので、安定的に花立てでます。
【００１１】
前記支持体は２つ以上、複数で構成します。  前記開口部はリング状の円形のみならず、三角や四角の非円形もあり得ます。
【００１２】
以下は、請求項２に対応する説明です。
【００１３】
図２の口径変換具（Ｂ）は、ひとつの花束を安定的に花立てするのに適した口径をもつ開口部（１）を形成する開口部形成部材（５）から、支持体（２）を略水平に延設したものです。  前記支持体はアルミ材のような柔軟な材質を使用することにより、容易に人手で折り曲げ可能であることが特徴です。
【００１４】
前記支持体は、花立て具の口縁部（７）にて折り曲げることで、係止部（３）を形成して、前記開口部を安定的に固定することができます。
【００１５】
墓参の現場では、折り曲げ用の工具がなくても、人手で容易に折り曲げ可能は便利です。  また、多くの墓石の花立て具に対応する口径変換具をめざす点からも、前記支持体を長いものにすれば、大きな口径の花立て具にも簡単に対応できます。
【００１６】
アルミ材は、サビに強いことも、墓石近辺に使用する材質として適していますが、同じくステンレス材でも板厚を薄くすれば、容易に人手で折り曲げ可能な前記支持体として、使用することができます。
【００１７】
以下は、請求項３に対応する説明です。
【００１８】
図３の口径変換具（Ｃ）は、ひとつの花束を安定的に花立てするのに適した口径である、開口部（１）を形成する開口部形成部材（５）が網状体（８）に直結しています。  開口部を支える支持体（２）は、前記網状体ということになります。
【００１９】
この網状体は、アルミ線材のような柔軟な材質を使用して作成されており、容易に人手で折り曲げ可能なのが特徴で、花立て具（６）の口縁部（７）付近で折り曲げて使用することで、係止部（３）を形成することができます。
【００２０】
以下は、請求項４に対応する説明です。
【００２１】
図４の口径変換具（Ｄ）は、伸縮する筒状の網状体（９）の上端に、ひとつの花束を安定的に花立てするのに適した口径を形成した開口部形成部材（５）を、前記筒状体の上端の周辺と前記開口部形成部材の周辺とを合わせるように取付けたものです。
【００２２】
前記伸縮する筒状の網状体を、花立て具（６）にかぶせることで、網の伸縮力により、前記開口部から花立て具の口縁部（７）までが支持体（２）となり、花立て具の口縁部（７）が係止部（３）となって、前記開口部形成部材が固定されるので、その開口部（１）に安定的に花束を花立てできます。
【００２３】
前記開口部形成部材は、リング状の円形のみならず、非円形もあり得ます。  また、酒のオチョコのような逆テーパー状の形状など、いろいろな形状をとり得ます。
【００２４】
以下は、請求項５に対応する説明です。
【００２５】
図５の口径変換具（Ｅ）は、伸縮する筒状の網状体（９）と、リング状の開口部形成部材（５）を使用します。  前記伸縮する筒状の網状体を、リング状の前記開口部形成部材の中に通し、そのまま花立て具（６）にかぶせた状態で使用します。  リング状の前記開口部形成部材は、ひとつの花束を安定的に花立てするのに適した開口部（１）をもつので、ここに花束を挿通して花立てをします。
【００２６】
前記伸縮する筒状の網状体を、花立て具（６）にかぶせることで、網の伸縮力により、前記開口部から花立て具の口縁部（７）までが支持体（２）となり、花立て具の口縁部（７）が係止部（３）となります。
【００２７】
リング状の開口部形成部材を使用する代わりに、リボンや針金、長さを調節できる結束バンドなどをリング状にするなどして、前記開口部形成部材の代用品とすることができますし、これらを前記網状体の複数の網目を通すようにして使用することもできます。
【符号の説明】
【００２８】
１  開口部
２  支持体
３  係止部
４  花束
５  開口部形成部材
６  花立て具
７  口縁部
８  網状体
９  伸縮する網状体
【図１】
2017082540.tif 000003
【図２】
2017082540.tif 000004
【図３】
2017082540.tif 000005
【図４】
2017082540.tif 000006
【図５】
2017082540.tif 000007